(57)【要約】      （修正有）【課題】遠方の物品を俊敏にキャッチし取り寄せる、長尺になる取り寄せ具を提供する。【解決手段】ハンド保持具１にレール収納体３が設けられ、該レール収納体３にはこれから前方に繰り出される伸縮レール４が設けられ、該伸縮レール４に、とってこいスライダー５が設けられ、該とってこいスライダー５に吊下連結材６を介してキャッチ７が設けられている。また後方のスライダーにはスプーン形状のキャッチが設けられている。さらに先端具４２付近に、先端つまみ具片４４が設けられ、キャッチした物品を手元に移動しうる構成とする。【選択図】図２
2010089169.tif 000002
【特許請求の範囲】
【請求項１】
ハンド保持具１にレール収納体３が設けられ、これから前方に繰り出された伸縮レール４にとってこいスライダー５が設けられ、該とってこいスライダー５にはキャッチ７が設けられてなる取り寄せ具。
【請求項２】
ハンド保持具１にレール収納体３が設けられ、これから前方に繰り出された伸縮レール４にとってこいスライダー５が設けられ、該とってこいスライダー５にカメラ６２が設けられてなる取り寄せ具。
【請求項３】
前記伸縮レール４をコンベックス巻尺状にしたことを特長とする請求項１乃至２に記載の取り寄せ具。
【請求項４】
前記伸縮レール４をテレスコピックパイプ形状にしたことを特長とする請求項１乃至２に記載の取り寄せ具。
【請求項５】
前記とってこいスライダー５を低摩擦すべり材料で製してなることを特長とする請求項１乃至４に記載の取り寄せ具。
【請求項６】
前記とってこいスライダー５にコロ車輪を設けたことを特長とする請求項１乃至４に記載の取り寄せ具。
【請求項７】
前記キャッチ７を磁石キャッチとしたことを特長とする請求項１乃至６の取り寄せ具。
【発明の詳細な説明】
【技術分野】
【０００１】
手が届かない遠方の物品を、手を伸ばさずにキャッチし取り寄せる、取り寄せ具に関している。
【背景技術】
【０００２】
遠方の物品の取り寄せ具として、特許第3665937号、特許第3890522号などが、いろいろ知られている。
【特許文献１】特開平１−１９９７７７号
【特許文献２】特許第3665937号
【特許文献３】特許第3890522号
【特許文献４】登録実用新案第3087807号
【発明の開示】
【発明が解決しようとする課題】
【０００３】
従来の、遠方物品の取り寄せ具では、キャッチ部を遠方の物品近くに送り出し、キャッチした物品を手元に寄せるのに構造的に手間暇かかり、繰り返し多数の物品を取り寄せる実用品としては操作も煩雑で手数がかかり、繰り返し作動させるのに今ひとつ不満足感があった。
【０００４】
また、長尺な取り寄せ具にスライドするカメラをつけて、自分から手の届かない場所から遠方を撮ったり、遠方から自分を撮ったりできる便利な取り寄せ具が望まれていた。
【課題を解決するための手段】
【０００５】
従来の取り寄せ具に替わって、本発明取り寄せ具では、使用者がレール収納体から繰り出された伸縮レールを傾けることで、前方に、伸縮レールに沿ってとってこいスライダーを繰り出し、使用者が手首を上下もしくは左右に旋回制御させて、とって来いスライダーを食べ物や物品上にかざし、食べ物をキャッチし、とってこいスライダーを手元に移動させるという動作が、繰り返し何度でも、容易にかつ俊敏に出来るようにしたものである。
【０００６】
また、第２の課題解決手段は、食べ物や物品が良く見えるように、前方に繰り出された伸縮モノレール上に設けた、とってこいスライダーに、カメラを設けることにより、遠方の食べ物や物品の映像をキャッチすることで、キャッチした映像分析などが手元でスムーズに出来るようにしたものである。
【発明の効果】
【０００７】
上記第１の課題解決手段による作用効果は次の通りである。即ち、ハンド保持具にレール収納体が設けられ、これから前方へ繰出し可能な伸縮レールが設けられ、該伸縮レールにとってこいスライダーが設けられ、その下方にキャッチが設けられ、このキャッチにより物品をキャッチし手元に運びうるようになされているから、手首を上下左右に動かして伸縮レールを傾け、とってこいスライダーを滑り台の様に前後に動かし、遠方の物品の上にキャッチをかざし、これをキャッチして使用者の手元まで運ぶという動作を、何度でも俊敏に繰り返すことが容易に出来る。
【０００８】
更に、第２の解決手段として、ハンド保持具の前方に繰り出した伸縮レールに沿って動くとってこいスライダーにカメラを設け、映像をキャッチしたカメラを手元に移動しうるようにしたものでは、使用者が、手首を上下させて、このとってこいスライダーを滑り台の様にスムーズに前後移動させ、映像をキャッチしたカメラを手元に運び、物品の状態を詳しく映像で確認できるので、極めて便利である。
また、
【０００９】
更に、伸縮レールをコンベックス巻尺上状としたものやテレスコピックパイプ形状としたものでは、これを伸ばして遠方のものが取れ、伸縮レールに沿って、とってこいスライダーの動きがスムーズで極めて具合が良い。不使用時には縮めてコンパクトに携帯できる利点がある。
とってこいスライダーを低摩擦すべり材で製したものや、コロ車輪を設けたものでは小気味良く動いて俊敏に作動する利点がある。
また、キャッチを磁石キャッチとしたものでは、構造が簡単でシンプルな取り寄せ具となる利点がある。
【発明を実施するための最良の形態】
【００１０】
以下に本発明を実施するための最良の形態を実施例で説明する。
【実施例１】
【００１１】
図１において、詳細に説明する。
１はハンド保持具であり、レール収納体３を載せている。レール収納体３には伸縮制御30が設けられている。４はコンベックス状の伸縮レールであり、巻尺のように前記レール収納体３から前方に繰り出されもしくは巻き込み収納されるようになされ前記伸縮制御３０で伸縮を制御する。５は、２個設けられた、とってこいスライダーであり、低摩擦すべり材で製されており、伸縮レール4に沿って滑り台の様に前後に移動しうるようになされている。前方の、とってこいスライダー５は磁石のキャッチ７を持ち、後方の、とってこいスライダー５は鉤形のキャッチ７を持っている。６は吊下連結材であり、それぞれのキャッチ７を吊り下げ、とってこいスライダー５の吊下部６０に吊り下げられている。
【００１２】
しかして、伸縮制御３０を操作してハンド保持具１上のレール収納体３からコンベックス形状の伸縮レール４を前方に手動又は電動で前方に繰り出させて止め、ハンド保持具１を持った手首を動かし、レールをこれを傾けて斜面を作り、とってこいスライダー５から吊り下げたキャッチ７を物品９上に導き、磁石の力を利用して、また鉤で引っ掛けて物品をキャッチする。次に、とってこいスライダー５を斜面の傾斜を利用して滑らせて戻し、吊下連結材６を手元へ運び、磁石または鉤のキャッチ７で掴んだ物品を手元に取り寄せることが出来る構成となされている。
本実施例では、ハンド保持具の形状が、グリップ形状となされているが手袋形状や腕輪形状でも良く、腕装着バンド形状でもよい。
【００１３】
本実施例ではレール収納体３は、厚み１．３ｍｍ、幅２５ｍｍのコンベックス状ステンレス巻込体をゼンマイもしくはモーターで3メートル以上伸縮させられるようになされた自動巻尺を利用しており、伸縮制御３０でコンベックス形状の伸縮モノレール４を巻込ませたり伸ばしたりさせる仕組みである。具体的にはブラック＆デッカー社製電動巻尺の「オートテープ」や、電動巻尺登録実案第3087807  号を利用している。
【００１４】
上記構造の本発明頭部搭載前方伸縮装置では、使用者がハンド保持具１を手掴みし、レール収納体３から伸縮レール４を前方に伸ばして磁石のキャッチ７をとりたい物品９の上方に配置させ、使用者が手首を上下させて、磁石のキャッチ７もしくは鉤のキャッチ７により物品をキャッチする。キャッチした物品を吊り上げて、とってこいスライダー５と吊下連結材６によりこれを手元に移動させ、物品を使用者の手元へ運ぶ。
【実施例２】
【００１５】
本発明の２番目の実施例を第２図に示す。本例では、ハンド保持具１にダブル２個の巻尺形状のレール収納体３が設けられ、それぞれから繰り出されるコンベックス形状の伸縮レール４の装着例を示し、２個の同形状の手動コンベックス巻尺から繰り出される伸縮レール４を上下に重ねて前方に繰り出させるものである。強度は2倍になっており、先端具42付近で先端つまみ具44・44が設けられ、2枚の伸縮レール４・４を互いにずらせて物品をつまみうる構造となされている。一方、前方のとってこいスライダー５は粘着材キャッチ7を持ち、後方のとってこいスライダー５はスプーン形状のキャッチを持つ。更に、後方のとってこいスライダー５にはミニカー形のコロ車輪がついて移動しやすくなっている。
【００１６】
取り寄せる物品が100g以上に重くても、また、3メートル以上遠くにあっても、前記第１実施例のものより2倍強力で動作も速い取り寄せ具となっている。
前方のとってこいスライダー５はTPR粘着体からなり、紙などをぴたっと粘着させてキャッチし、後方のとってこいスライダー５は液体や粉体、粒菓子やご飯をキャッチするのに便利である。その他は図１の場合とほぼ同様である。
【００１７】
したがって、本実施例の取り寄せ具では前記第1実施例のものと比べて、ダブルの伸縮レール４で強度が2倍に増しており、先端具４０とつまみ具４４・４４で物品をつまむことも出来る。また、コロ車輪のついた後方のとってこいスライダー５で動きが極めてスムーズで俊敏となっていることである。
【実施例３】
【００１８】
本発明の３番目の実施例を図３に示す。このものは、伸縮レール４がテレスコピックパイプとなされ、これを手動又は自動で伸縮させ、キャッチした物品をとってこいスライダーとともに滑らせ、テレスコピックパイプに沿って手元に引き寄せる構成の実施例である。
【００１９】
１はハンド保持具であり、杖の取手の形状となされている。本取り寄せ具は縮めて杖としても使える。３は伸縮杖のテレスコピックパイプからなるレール収納体であり、多段のテレスコピックパイプの伸縮レール４を伸縮自在に収納可能となされている。その先端にはストッパー４０が設けられ、中途には２個のとってこいスライダー５が設けられている。前方のとってこいスライダー５はドーナツリング形状の磁石型のキャッチ７が設けられ、後方のとってこいスライダー５は錘を兼ねる吊下連結材６と突き刺し型のキャッチ７が設けられている。使用者が手首を上下に振り、テレスコピックパイプ形状の伸縮レール４を斜面にすると、伸縮レール４に沿って、とってこいスライダー５が前後方向に容易に滑走し、磁石や突き刺しでキャッチした物品を手元へ運搬しうるようになされている。
【００２０】
上記構造の取り寄せ具では、使用者はハンド保持具１を持ち、手動又は自動でテレスコピックパイプ形状の伸縮レール４を伸ばし、とってこいスライダー５を前方にスライドさせて、その下方のキャッチ７を物品９の上まで移動させる。使用者が更に手首を上下に振り、磁石や突き刺しで物品をキャッチしてから、とってこいスライダー５を手元に戻し、物品を手元に戻す。
本願伸縮レール４のテレスコピックパイプ構造はは釣竿のような伸縮構造であっても良い。
【実施例４】
【００２１】
次に本発明第４番目の実施例を図４に示す。
ハンド保持具１にレール収納体3が設けられ、これから前方に繰り出される伸縮レール４が設けられ、中途に低摩擦すべり材料のとってこいスライダー５が2個設けられ、先端に先端具４０が設けられている。その下方にバネと磁石４８で開閉するシーソー罠型はさみ片４６・４７が設けられている。洗擢ばさみと同様な罠型キャッチ７をバネに抗して開いて置き磁石で開いた状態に保持しておき、床面などに衝突させてショックを与えると磁石が外れてバネが閉じ、物品を鋏めるようになされている。
【００２２】
前方のとってこいスライダー５には、スイッチ５１で単三乾電池５２で動くモーター70でのドリルキャッチ７が設けられ、後方のとってこいスライダー５の吊下部６０には洗擢ばさみ形状の吊下連結材６がぶら下げられ、これにカメラ６２が設けられている。ドリル型のキャッチ７で物品をキャッチする様子をカメラ６２で撮る。物品の映像をキャッチしたカメラ６２はとってこいスライダー５で手元に戻るので、真近かで物品を詳細に観察することができる。また、前方のドリルキャッチ7でキャッチした物品を手元に運ぶことが出来るようになされている。
【００２３】
本実施例では、後方のとってこいスライダー5にカメラ６２が装着されており、原材料が厚み０．１ｍｍ、幅５０ｍｍの湾曲した密着巻癖筒バネ（特開２００２−３２３１９５号明細書）の伸縮レール４の先端具４０につまみ片46・4７およびこれを開く磁石４８が設けられており先端でもキャッチできる構造であって、低摩擦すべり材料からなる、とってこいスライダー５の洗擢ばさみ型の吊下連結材６にはカメラ６２が挟み込まれている。５メートルは伸ばせる。
本実施例に示す伸縮レール４の密着巻癖筒バネは本発明者による特開２００２−３２３１９５号「密着巻筒バネ装置」の技術を活用して取り付けたものである。
【００２４】
図４の取り寄せ具では、ゼンマイがなくとも自分自身が巻き癖のある密着巻癖筒バネの伸縮モノレール4の先端具４０にはさみ片４６・４７及びこれを開いておく磁石４８が設けられ、ショックを与えて物品を掴むことが出来、後方のとってこいスライダー５にカメラ６２を吊り提げており、このカメラ６２を前方から後方に移動させることで、キャッチした映像を手元で見ることが出来るようになされている。
【００２５】
即ち、とってこいスライダー５のカメラ６２を移動させ、繰り出した伸縮モノレール４の好きな位置に配置させ、使用者の顔写真を遠方からや近距離から、静止または動画でカメラ撮影し、テレビ記録することも出来る。
とってこいスライダー５にカメラ６２が付いているものでは、新聞を読んだり、地図を広げて読んだり、読書したりするのも便利であり、屋外で自分の写真を撮るときにも、旅行に行くときも、縮めてコンパクトなこれを持ってゆけば、自分で自分を撮影できるため一人旅でも困らない。
【実施例５】
【００２６】
本発明取り寄せ具の、釣竿形式のものの実施例５を図5に示す。
即ち、釣竿スタイルであって、先端具４０には錘４５と釣り針４９が垂れ下げられており、ハンド保持具１にも受けられたリールでこれを巻き取る。この第1番目の収納竿がレール収納体３になっており、2番目、3番目、4番目の竿が伸縮レール4となっている。そして、伸ばした伸縮レール4に沿って、ドーナツリング型のとってこいスライダー５ががたがたと動きうるように設けられている。
ドーナツリング内径は竿の外形よりも大きくなされており、竿の先端具４０から、手元の手元ストッパー４１まで自由に動きうるようになされている。
とってこいスライダー５には連結部６０により吊下連結材６を介して網籠型のキャッチ７が設けられており、この網籠型のキャッチ７でつかまえた魚を手元に運搬することが出来るようになされている。
【００２７】
請求項1番目の発明では、ハンド保持具１にレール収納体３が設けられ、これから前方に繰り出された伸縮レール４にとってこいスライダー５が設けられ、該とってこいスライダー５にはキャッチ７が設けられてなるから、使用者がハンド保持具１を持ち、レール収納体３から前方に伸縮レール４を繰り出すことにより、物品の上にとってこいスライダー５を掲げてキャッチ７によりこれをキャッチし、使用者が手首を動かしてとってこいスライダー５を再び移動させ、手元に物品を運ぶことが出来る。
【００２８】
請求項2番目の発明では、ハンド保持具１にレール収納体3が設けられ、これから前方に繰り出された伸縮レール４にとってこいスライダー5が設けられ、該とってこいスライダー５にはカメラ６２が設けられているから、使用者がハンド保持具1を持ち、レール収納体３から前方に繰り出された伸縮レール4に沿ってカメラ６２を前方に送り出し、被写体を接写したり、自分を撮影し、また伸縮レール４に沿ってカメラ６２を戻したり、送り出したりすることが迅速に出来る。
【００２９】
請求項３番目の発明では伸縮レール４をコンベックス巻尺状にすることにより、巻き込み繰り出しが容易で伸縮比を20倍以上に大きくすることが出来る。
【００３０】
請求項４番目の発明では伸縮レール４をテレスコピックパイプ形状にすることにより、強度が大きく、伸ばし縮めが小気味良く、見た目をスマートに出来る利点がある。
【００３１】
請求項５番目の発明では、とってこいスライダー５を低摩擦すべり材料で製しているから伸縮レール４に沿った移動が、摩擦係数が低いため、極めてスムーズで手早く出来る。
【００３２】
請求項６番目の発明では、とってこいスライダー５にコロ車輪が設けられているから、手首をわずかに動かすだけでとってこいスライダー5をスムーズに転がり移動させられ、極めて移動能率がよい。
【００３３】
請求項7番目の発明ではキャッチ７を磁石キャッチとしているから、予め、鉄楊枝などを物品に突き刺しておくことで様々様々な物品をキャッチすることが出来る。
【産業上の利用可能性】
【００３４】
本発明取り寄せ具は、マジックハンドのような形状から、仕込み杖や、釣竿などのいろいろな用途の形状に適用できる。
【図面の簡単な説明】
【００３５】
【図１】（a）本発明第1実施例の側面図  (b) A-A線端面図
【図２】（a）本発明第2実施例の側面図  （b）A-A線端面図
【図３】（a）本発明第3実施例の側面図  （b）A-A線端面図
【図４】本発明第4実施例の側面図
【図５】本発明第5実施例の側面図
【符号の説明】
【００３６】
１はハンド保持具
２は結合材
３はレール収納体
４は伸縮レール
５はとってこいスライダー
６は吊下連結材
62はカメラ
７はキャッチ
３０は伸縮制御部
４０は先端具
４２は先端具
４４ははさみ片
４８は磁石
【図１】
2010089169.tif 000003
【図２】
2010089169.tif 000004
【図３】
2010089169.tif 000005
【図４】
2010089169.tif 000006
【図５】
2010089169.tif 000007